(57)【要約】【課題】ペット用納骨墓としての機能性を有しながら、一見して墓と分かる外観は有しておらず、例えば家の敷地内の庭に設置した場合でも、庭の装飾物として、その景観に違和感なく溶け込むことができる、ペット用納骨墓を兼ねた石燈篭を提供する。【解決手段】ペット用納骨墓を兼ねた石燈篭(A1)は、柱部(2)を備え、柱部(2)は、ペットの遺骨を入れた骨壷(9)を収容するための骨壷収容部(20)と、骨壷収容部(20)の開口部(200)を塞ぐ着脱可能な蓋板(23)とを有している。また、柱部(2)には、骨壷収容部(20)から外部へ貫通し、外部へ向け下り傾斜した排水孔(25)が形成されている。【選択図】図２
2015209713.tif 000002
【特許請求の範囲】
【請求項１】
ペットの遺骨を入れた骨壷を収容するための骨壷収容部と、
該骨壷収容部の開口部を塞ぐ着脱可能な蓋とを備える
ペット用納骨墓を兼ねた石燈篭。
【請求項２】
柱部と、
該柱部に形成されており、ペットの遺骨を入れた骨壷を収容するための骨壷収容部と、
該骨壷収容部の開口部を塞ぐ着脱可能な蓋とを備える
ペット用納骨墓を兼ねた石燈篭。
【請求項３】
前記骨壷収容部から外部へ貫通し、外部へ向け下り傾斜した排水孔を有する
請求項１又は２のペット用納骨墓を兼ねた石燈篭。
【請求項４】
前記骨壷収容部から外部へ貫通した通気孔を有する
請求項１、２又は３のペット用納骨墓を兼ねた石燈篭。
【発明の詳細な説明】
【技術分野】
【０００１】
本発明は、ペット用納骨墓を兼ねた石燈篭に関するものである。更に詳しくは、ペット用納骨墓としての機能性を有しながら、一見して墓と分かる外観は有しておらず、例えば家の敷地内の庭に設置した場合でも、庭の装飾物として、その景観に違和感なく溶け込むことができるものに関する。
【背景技術】
【０００２】
近年では、飼い主がペット（愛玩動物）を家族のように想い、ペットが亡くなったときには、火葬して墓を建てたり、骨壺を部屋内に安置しておく等して供養することが、一般にも行われるようになってきた。このようなペット用の墓は、設置場所や費用等を勘案すれば、通常は簡易的で小さなものが多くなる傾向があり、例えば特許文献１に示すような「ペットの墓」が提案されている。
【０００３】
特許文献１に開示された「ペットの墓」は、下敷きとなる板状の座面石と、その上に置かれて中が納骨室に上が納骨口となる筒形の下台石と、その上に積み上げられる摘み上げ可能な蓋石とからなり、その蓋石は、納骨口を封じる笠石に摘みとなる起立した棹石が上台石を介して一体に形成され、笠石を持ち上げて納骨口を開くことにより納骨室に骨壺を収納し得るように構成されており、設置のために穴を掘る必要がないために場所が限定されず、管理が容易で耐久性があり、遺骨が雨に濡れることもなく、亡くなったペットを健全に葬ることができる、というものである。
【先行技術文献】
【特許文献】
【０００４】
【特許文献１】特開２００４−１２４６２１号公報
【発明の概要】
【発明が解決しようとする課題】
【０００５】
上記従来の「ペットの墓」は、外観上、人の墓と同じような体裁が整い、設置も簡単にできるもので、いわゆる供養塔として、相応の利点はある。しかしながら、この墓には次のような課題もあった。
すなわち、石材を加工した材料を積み上げて組み立てるだけの構造であるため、構造的には不安定であり、設置場所が限定されないとはいっても、安全性を考慮すれば、室内には設置しにくい。このため、結局、庭等の屋外に設置することになるが、いくらペットの墓とはいえ、家の敷地内に、一見して墓と分かる外観を有するものが建っている様相は、見た目に良いものではなかった。
【０００６】
本発明は、以上の点に鑑みて創案されたものであり、ペット用納骨墓としての機能性を有しながら、一見して墓と分かる外観は有しておらず、例えば家の敷地内の庭に設置した場合でも、庭の装飾物として、その景観に違和感なく溶け込むことができる、ペット用納骨墓を兼ねた石燈篭を提供することを目的とする。
【課題を解決するための手段】
【０００７】
（１）本発明は、ペットの遺骨を入れた骨壷を収容するための骨壷収容部と、該骨壷収容部の開口部を塞ぐ着脱可能な蓋とを備えるペット用納骨墓を兼ねた石燈篭である。
【０００８】
（２）本発明は、柱部と、該柱部に形成されており、ペットの遺骨を入れた骨壷を収容するための骨壷収容部と、該骨壷収容部の開口部を塞ぐ着脱可能な蓋とを備えるペット用納骨墓を兼ねた石燈篭である。
【０００９】
この場合は、石燈篭の笠部や火袋部、中台部等を支える部分であって、もともと比較的強固に造られる柱部に骨壷収容部が形成されるので、中空部（又は空間部）となる骨壷収容部を形成しても、柱部や石燈篭全体としての強度をそれ程低下させることなく、石燈篭を作製することができる。
【００１０】
（３）本発明は、前記骨壷収容部から外部へ貫通し、外部へ向け下り傾斜した排水孔を有する構成としてもよい。
【００１１】
この場合は、地面からの湿気や雨の日の雰囲気の湿気等により骨壷収容部の内壁に結露が生じて骨壷収容部の底部に水がある程度溜まっても、排水孔を通じて水を外部へ自然に排出することができる。
【００１２】
（４）本発明は、前記骨壷収容部から外部へ貫通した通気孔を有する構成としてもよい。
【００１３】
この場合は、骨壷収容部の内部の雰囲気は、常に外部（外気）と通じているので、骨壷収容部内にのみ湿気が滞ることがなく、骨壷収容部の内壁に結露が生じることを低減、又は防止することができる。また、骨壷収容部の内部の雰囲気は、常に外気と入れ替わっているので、骨壷収容部の内部を比較的清潔に保つことができる。
【００１４】
石燈篭において、骨壷収容部を形成する箇所は、柱部に限定されるものではなく、例えば笠部、火袋部、中台部、或いは基礎部等に形成することもできる。
本発明の石燈篭の材料となる石の種類は、例えば「花崗岩（カコウガン）」、「斑糲岩（ハンレイガン）」、「安山岩（アンザンガン）」、「閃緑岩（センリョクガン）」等であるが、これらに限定されるものではない。
【００１５】
（作用）
本発明のペット用納骨墓を兼ねた石燈篭の作用を説明する。
ペット用納骨墓を兼ねた石燈篭は、ペットの遺骨を入れた骨壷を収容するための骨壷収容部を備えているので、亡くなったペットを供養する墓、又は供養塔としての機能性を有している。
また、そのような機能性を有しながら、外観的にはほぼ石燈篭であり、一見して墓と分かるような外観は有していない。特に、骨壷収容部の開口部を塞ぐ蓋を石材で形成すれば、石燈篭そのものの外観を有することとなる。
これにより、本発明のペット用納骨墓を兼ねた石燈篭は、例えば家の敷地内の庭に設置した場合でも、庭の装飾物として、その景観に違和感なく溶け込むことができる。
【発明の効果】
【００１６】
本発明は、石燈篭にペットの遺骨を入れた骨壷を収容するための骨壷収容部を備えることにより、ペット用納骨墓としての機能性を有しながら、一見して墓と分かる外観は有しておらず、例えば家の敷地内の庭に設置した場合でも、庭の装飾物として、その景観に違和感なく溶け込むことができる、ペット用納骨墓を兼ねた石燈篭を提供することができる。
【図面の簡単な説明】
【００１７】
【図１】本発明のペット用納骨墓を兼ねた石燈篭の第１実施の形態を示す斜視図である。
【図２】図１のペット用納骨墓を兼ねた石燈篭の構造を示し、下部側の一部を断面した説明図である。
【図３】本発明のペット用納骨墓を兼ねた石燈篭の第２実施の形態を示し、下部側の一部を断面した説明図である。
【図４】ペット用納骨墓を兼ねた石燈篭の第２実施の形態を墓前燈篭として設置した状態を示す斜視説明図である。
【図５】本発明のペット用納骨墓を兼ねた石燈篭の第３実施の形態を示す斜視図である。
【発明を実施するための形態】
【００１８】
本発明を図面に示した実施の形態に基づき詳細に説明する。
図１及び図２を参照する。
ペット用納骨墓を兼ねた石燈篭Ａ１は、後で説明する蓋板２３を除くほぼ全体が御影石（ミカゲイシ）ともいわれる石材である花崗岩で形成されている。
【００１９】
ペット用納骨墓を兼ねた石燈篭Ａ１は、接地部となる最下部に基礎部１を有し、その上に中間部分が括れた柱部２が立てられている。柱部２の上端には、中台部３が固定され、中台部３の上には、火袋部４が固定されている。火袋部４の上には、笠部５が固定されており、笠部５の上部の中心には、宝珠６が固定されている。
【００２０】
上記柱部２において、下側の膨らんだ部分には、正面側（図２で左側）に四角形の開口部２００を有するほぼ直方体状の空間である骨壺収容部２０が形成されている。骨壺収容部２０を構成する天壁２０１、奥壁２０２、両側壁２０３及び底壁２０４は、それぞれ平坦に形成されている。また、天壁２０１の開口部２００側には、全幅にわたり係合溝２１が形成され、底壁２０４には同じく全幅にわたり係合溝２２が形成されている。
【００２１】
そして、開口部２００には、木製の蓋板２３が嵌め込まれている。蓋板２３は、開口部２００の幅より若干狭く、開口部２００を塞いで、丁度嵌まる幅に形成されている。また、蓋板２３の外面側の中央には、摘み２４が固定されている。
【００２２】
蓋板２３は、上端縁を上側の係合溝２１に嵌め入れ、下端縁を下側の係合溝２２に嵌め入れて係合されており、着脱が自在である。なお、蓋板２３は、木製でなく石造りとしてもよく、この場合は、外観が石燈篭そのものとなる。また、蓋板２３には、ペットの名等を表した墓碑銘を設けることもできる。
【００２３】
底壁２０４の最奥部（奥壁２０２の下端部）には、後ろ側の外面に貫通した排水孔２５が形成されている。排水孔２５は、図２に示すように、外面方向（後方）へ下り傾斜するように形成されており、結露水等、骨壺収容部２０に溜まった水が、スムーズに外部へ排出されるようにしてある。
【００２４】
（作用）
図１、図２を参照して、石燈篭Ａ１の作用について説明する。
ペット用納骨墓を兼ねた石燈篭Ａ１は、柱部２の下部に骨壺収容部２０を有し、骨壺収容部２０にはペットの骨を分骨した骨壷９を収容することができ、ペットの納骨墓となる供養塔としての機能性を備えている。
【００２５】
しかしながら、ペット用納骨墓を兼ねた石燈篭Ａ１は、外観的にはいわゆる燈篭型であり、一見してペットの納骨墓と分かるような外観は有していない。特に、上記したように骨壷収容部２０の開口部２００を塞ぐ蓋を石材で形成すれば、石燈篭そのものの外観を有することとなる。
したがって、ペット用納骨墓を兼ねた石燈篭Ａ１を、例えば家の敷地内の庭に設置した場合でも、一般的な石燈篭と同様に、取り立てて違和感を覚えることはなく、庭の装飾物として、その景観に溶け込むことができる。
【００２６】
また、骨壷収容部２０は、石燈篭の笠部５や火袋部４、中台部３等を支える部分であって、もともと比較的強固に造られる柱部２に形成されているので、中空部となる骨壷収容部２０を形成しても、柱部２や石燈篭全体としての強度をそれ程低下させることなく、ペット用納骨墓を兼ねた石燈篭Ａ１を作製することができる。
【００２７】
ペット用納骨墓を兼ねた石燈篭Ａ１は、骨壷収容部２０から外部へ貫通し、外部へ向け下り傾斜した排水孔２５を有しているので、地面からの湿気や雨の日の雰囲気の湿気等により骨壷収容部２０の天壁２０１、奥壁２０２、両側壁２０３、及び底壁２０４に結露が生じて骨壷収容部２０の底部（底壁２０４）に水がある程度溜まっても、排水孔２５を通じて水を外部へ自然に排出することができる。
【００２８】
図３を参照する。
ペット用納骨墓を兼ねた石燈篭Ａ２は、上記ペット用納骨墓を兼ねた石燈篭Ａ１とほぼ同様の構造を有しているので、同じ構造部分は同じ符号を付与して説明を省略し、相違する部分についてのみ説明する。
【００２９】
柱部２ａにおいて、下側の膨らんだ部分には、正面側（図３で左側）に四角形の開口部２００ａを有するほぼ直方体状の空間である骨壺収容部２０ａが形成されている。骨壺収容部２０ａを構成する天壁２０１ａ、奥壁２０２ａ、両側壁２０３ａ及び底壁２０４ａは、それぞれ平坦に形成されている。また、天壁２０１ａの開口部２００ａ側には、全幅にわたり係合溝２１ａが形成され、底壁２０４ａには同じく全幅にわたり係合溝２２ａが形成されている。
【００３０】
底壁２０４ａの最奥部（奥壁２０２ａの下端部）には、後ろ側の外面に貫通した排水孔２５ａが形成されている。排水孔２５ａは、外面方向へ下り傾斜するように形成されており、結露水等、骨壺収容部２０ａに溜まった水が、スムーズに外部へ排出されるようにしてある。
【００３１】
そして、開口部２００ａには、石材で形成された蓋体２３ａが嵌め込まれている。蓋体２３ａは、開口部２００ａの幅より若干狭く、開口部２００ａを塞いで、丁度嵌まる幅に形成されている。また、蓋体２３ａの外面側の中央には、指掛け部２４ａが形成されている。
【００３２】
蓋体２３ａは、上端縁を上側の係合溝２１ａに嵌め入れ、下端縁を下側の係合溝２２ａに嵌め入れて係合されており、着脱が自在である。蓋体２３ａには、ペットの名等を表した墓碑銘を設けることもできる。
また、蓋体２３ａの指掛け部２４ａの周囲の四箇所には、内外面（表裏面）を貫通して通気孔２３０が形成されている。骨壺収容部２０ａを形成する奥壁２０２ａの上部には、外部へ貫通する通気孔２６が形成されている。
【００３３】
（作用）
図４においては、ペット用納骨墓を兼ねた石燈篭Ａ２は、墓前燈篭として使用されている。各ペット用納骨墓を兼ねた石燈篭Ａ２は、墓碑７の前に敷設されている拝石８の両側に設置されている。各ペット用納骨墓を兼ねた石燈篭Ａ２は、骨壷収容部２０ａの開口部２００ａが正面を向くように設置されており、正面側から来た参拝者に蓋体２３ａ等、骨壷９を収容する納骨墓の外観が分かりやすいようにしている。
【００３４】
また、ペット用納骨墓を兼ねた石燈篭Ａ２は、上記各通気孔２３０、及び通気孔２６により、骨壷収容部２０ａの内部の雰囲気は、常に外部（外気）と通じているので、骨壷収容部２０ａ内にのみ湿気が滞ることがなく、骨壷収容部２０ａの天壁２０１ａ、奥壁２０２ａ、両側壁２０３ａ及び底壁２０４ａに結露が生じることを低減、又は防止することができる。更に、骨壷収容部２０ａの内部の雰囲気は、常に外気と入れ替わっているので、骨壷収容部２０ａの内部を比較的清潔に保つことができる。
【００３５】
図５を参照する。
ペット用納骨墓を兼ねた石燈篭Ａ３は、石材でつくられたいわゆるデザイン燈篭型であり、全体がほぼ四角柱状である。すなわち、平板状の基礎部１ｂの上に柱部２ｂが立設され、その上部側には火袋部４ｂが設けられており、上端は笠部５ｂとなっている。
【００３６】
また、柱部２ｂの下側には、骨壷収容部２０ｂが設けられ、その開口側には中央に指掛け２４ｂを有する蓋体２３ｂが嵌め込まれている。なお、ペット用納骨墓を兼ねた石燈篭Ａ３の作用は、上記ペット用納骨墓を兼ねた石燈篭Ａ１とほぼ同様であるので、説明は省略する。
【００３７】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形が可能であるということは言うまでもない。
【符号の説明】
【００３８】
Ａ１  ペット用納骨墓を兼ねた石燈篭
１  基礎部
２  柱部
２０  骨壷収容部
２００  開口部
２０１  天壁
２０２  奥壁
２０３  側壁
２０４  底壁
２１、２２  係合溝
２３  蓋板
２４  摘み
２５  排水孔
３  中台部
４  火袋部
５  笠部
６  宝珠
Ａ２  ペット用納骨墓を兼ねた石燈篭
２ａ  柱部
２０ａ  骨壷収容部
２００ａ  開口部
２０１ａ  天壁
２０２ａ  奥壁
２０３ａ  側壁
２０４ａ  底壁
２１ａ、２２ａ  係合溝
２３ａ  蓋体
２３０  通気孔
２４ａ  指掛け
２５ａ  排水孔
２６  通気孔
Ａ３  ペット用納骨墓を兼ねた石燈篭
１ｂ  基礎部
２ｂ  柱部
２０ｂ  骨壷収容部
２３ｂ  蓋体
２４ｂ  指掛け
４ｂ  火袋部
５ｂ  笠部
【図１】
2015209713.tif 000003
【図２】
2015209713.tif 000004
【図３】
2015209713.tif 000005
【図４】
2015209713.tif 000006
【図５】
2015209713.tif 000007